(57)【要約】【課題】一つの電話回線を共有する複数の通報装置が一般的なモデムを用いて集中監視装置と通信する遠隔監視システムを提供できるようにする。【解決手段】エレベータシステム１０４では、親の通報装置１２０ａのみが電話回線１０１に接続し、他の通報装置１２０は電話回線１０１から切り離されている。集中監視装置１１２はエレベータシステム１０４の電話回線１０１に電話をかけ、電話は電話回線１０１に接続している親の通報装置１２０ａにより取られる。集中監視装置１１２は親の通報装置１２０ａに通信対象を通知し、エレベータシステム１０４との電話を切る。親の通報装置１２０ａは通信対象の通報装置１２０に回線接続要求１９２を出力すると共に電話回線１０１を切り離し、通信対象の通報装置１２０は電話回線１０１に接続する。集中監視装置１１２は再度電話をかけ、電話回線１０１に接続している通信対象から収集情報１９３を受信する。【選択図】図１
2010004132.tif 000002
【特許請求の範囲】
【請求項１】
一つの電話回線を共有すると共に信号線を介して互いに接続する複数の通信装置と、
前記電話回線を介して前記複数の通信装置の少なくともいずれかから特定の情報を収集する情報収集装置と
を備え、
前記複数の通信装置いずれかの通信装置は、親通信装置として前記電話回線に接続し、接続した前記電話回線を介して前記情報収集装置と呼を確立し、前記特定の情報が収集される通信装置を対象装置として示す通知を前記情報収集装置から前記呼を用いて受信し、前記情報収集装置から通知された対象装置に前記電話回線への接続を前記信号線を介して要求し、前記電話回線を切り離し、
前記親通信装置から前記電話回線への接続を要求された通信装置は、対象装置として前記電話回線に接続し、接続した前記電話回線を介して前記情報収集装置と呼を確立し、自己の有する前記特定の情報を前記呼を用いて前記情報収集装置に送信する
ことを特徴とする情報収集システム。
【請求項２】
前記情報収集装置は、前記対象装置に次の対象装置を通知し、前記対象装置との前記呼を解放し、前記電話回線を介して前記次の対象装置と呼を確立し、確立した前記呼を用いて前記次の対象装置から前記特定の情報を受信し、
前記対象装置は、前記特定の情報の送信後に前記電話回線を切り離し、前記電話回線への接続を前記信号線を介して前記次の対象装置に要求し、
前記対象装置から前記電話回線への接続を要求された通信装置は、前記次の対象装置として前記電話回線に接続し、接続した前記電話回線を介して前記情報収集装置と呼を確立し、自己の有する前記特定の情報を前記呼を用いて前記情報収集装置に送信する
ことを特徴とする請求項１記載の情報収集システム。
【請求項３】
前記情報収集装置は、前記親通信装置に複数の対象装置を通知し、
前記親通信装置は、前記情報収集装置から通知された複数の対象装置から対象装置を一つずつ選択し、選択した対象装置に前記電話回線への接続を要求し、選択した対象装置が前記情報収集装置に前記特定の情報を送信した後、次に選択した対象装置に前記電話回線への接続を要求する
ことを特徴とする請求項１記載の情報収集システム。
【請求項４】
前記情報収集装置は、前記特定の情報を要求する時間帯を収集時間として指定して前記対象装置を前記親通信装置に通知し、前記収集時間に前記電話回線を介して前記対象装置と呼を確立し、確立した前記呼を用いて前記対象装置から前記特定の情報を受信し、
前記親通信装置は、少なくとも前記収集時間に前記電話回線を切り離し、
前記対象装置は、少なくとも前記収集時間に前記電話回線に接続し、接続した前記電話回線を介して前記情報収集装置と呼を確立し、自己の有する前記特定の情報を前記呼を用いて前記情報収集装置に送信する
ことを特徴とする請求項１記載の情報収集システム。
【請求項５】
一つの電話回線を共有すると共に信号線を介して互いに接続する複数の通信装置と、
前記電話回線を介して前記複数の通信装置の少なくともいずれかから特定の情報を収集する情報収集装置とを備える情報収集システムの情報収集方法であり、
前記複数の通信装置いずれかの通信装置は親通信装置として前記電話回線に接続し、前記親通信装置以外の通信装置は子通信装置として前記電話回線を切り離し、
前記情報収集装置は、前記電話回線を介して前記親通信装置と呼を確立し、前記特定の情報を送信させる子通信装置を前記呼を用いて前記親通信装置に通知し、前記親通信装置との前記呼を解放し、
前記親通信装置は、前記情報収集装置から通知された子通信装置に前記電話回線への接続を前記信号線を介して要求し、前記電話回線を切り離し、
前記親通信装置から前記電話回線への接続を要求された子通信装置は、前記情報収集装置により前記特定の情報が収集される対象装置として前記電話回線に接続し、
前記情報収集装置は、前記電話回線を介して前記対象装置と呼を確立し、確立した前記呼を用いて前記対象装置と通信し、前記対象装置との通信により前記対象装置から前記特定の情報を取得する
ことを特徴とする情報収集システムの情報収集方法。
【発明の詳細な説明】
【技術分野】
【０００１】
本発明は、例えば、エレベータやビル設備の遠隔監視に用いる情報収集システムおよび情報収集システムの情報収集方法に関するものである。
【背景技術】
【０００２】
エレベータやビル設備（空調機器、照明器具、セキュリティシステム等）を遠隔地で監視する遠隔監視システムは、エレベータの号機毎およびビルの設備毎に設けられた通報装置と、エレベータやビル設備の情報を各通報装置から収集する集中監視装置とを有する。
例えば、各通報装置は、エレベータやビル設備に異常が発生した場合、電話回線網を経由して集中監視装置に異常を通知する。
また例えば、集中監視装置は、電話回線網を経由して通報装置にアクセスし、エレベータやビル設備の各種情報（エレベータの累積運転時間、設定内容、異常ログ等）を収集する。
このとき、各通報装置は、一つの電話回線を共有し、一つの電話回線を用いて集中監視装置と通信を行う。
【特許文献１】特開２００３−０７３０４７号公報
【特許文献２】特開平９−１６３００５号公報
【特許文献３】特開平５−１８９６８５号公報
【発明の開示】
【発明が解決しようとする課題】
【０００３】
上記の遠隔監視システムでは、各通報装置が一つの電話回線を共有しているため、集中監視装置から電話をかけたときに接続する先が情報を収集したい目的の通報装置でない場合がある。
この場合、集中監視装置は、他の通報装置と電話が繋がっている状態で、電話回線を経由して目的の通報装置から情報を収集することになる。
このため、各通報装置には、他の通報装置に電話が繋がっている電話回線を経由して集中監視装置に情報を送信するという特殊な通信機能を有するモデムが必要となる。
しかし、一般的なモデム（安価なモデム）はこのような特殊な通信機能を持たないため、特殊な通信機能を持った高価なモデムを使用する必要がある。また、このようなモデムは数が少ない。
【０００４】
本発明は、例えば、一つの電話回線を共有する複数の通報装置が一般的なモデムを用いて集中監視装置と通信する遠隔監視システムを提供できるようにすることを目的とする。
【課題を解決するための手段】
【０００５】
本発明の情報収集システムは、一つの電話回線を共有すると共に信号線を介して互いに接続する複数の通信装置と、前記電話回線を介して前記複数の通信装置の少なくともいずれかから特定の情報を収集する情報収集装置とを備え、前記複数の通信装置いずれかの通信装置は、親通信装置として前記電話回線に接続し、接続した前記電話回線を介して前記情報収集装置と呼を確立し、前記特定の情報が収集される通信装置を対象装置として示す通知を前記情報収集装置から前記呼を用いて受信し、前記情報収集装置から通知された対象装置に前記電話回線への接続を前記信号線を介して要求し、前記電話回線を切り離し、前記親通信装置から前記電話回線への接続を要求された通信装置は、対象装置として前記電話回線に接続し、接続した前記電話回線を介して前記情報収集装置と呼を確立し、自己の有する前記特定の情報を前記呼を用いて前記情報収集装置に送信する。
【発明の効果】
【０００６】
本発明によれば、例えば、一つの電話回線を共有する複数の通報装置（通信装置の一例）が一般的なモデムを用いて集中監視装置（情報収集装置の一例）と通信する遠隔監視システム（情報収集システムの一例）を提供することができる。
【発明を実施するための最良の形態】
【０００７】
実施の形態１．
図１は、実施の形態１における遠隔監視システム１００の構成図である。
実施の形態１における遠隔監視システム１００の構成について、図１に基づいて以下に説明する。
【０００８】
遠隔監視システム１００（情報収集システムの一例）は、あるビル１０２のエレベータシステム１０４を遠隔地にある監視センター１１０で監視するシステムである。
エレベータシステム１０４は、複数の通報装置１２０（１２０ａ、・・・、１２０ｎ）（複数の通信装置の一例）と複数のエレベータ装置１０５（１０５ｂ、・・・、１０５ｂ）を有する。
エレベータシステム１０４には１つの電話回線１０１が開設されており、各通報装置１２０はその１つの電話回線１０１を共有して監視センター１１０との通信を行う。エレベータシステム１０４に開設されている電話回線１０１は１つの電話番号で識別される。電話回線１０１には１台の通報装置１２０のみが接続し、電話回線１０１に接続する１台は必要に応じて切り替えられ、電話回線１０１に接続している通報装置１２０が監視センター１１０と通信する。
複数の通報装置１２０のうち一台（１２０ａ）を「親号機（親通信装置）」とし、親号機以外の通報装置１２０（１２０ｂ、・・・、１２０ｎ）を「子号機（子通信装置）」とする。
監視センター１１０との通信の開始前、親号機は後述するスイッチ回路１２１により電話回線１０１と接続しており、各子号機は後述するスイッチ回路１２１により電話回線１０１から切り離されている。
また、各子号機はそれぞれ、エレベータ装置１０５と接続し、エレベータ装置１０５から収集した情報を電話回線１０１を介して監視センター１１０に送信する。以下、ｘ号機のエレベータ装置１０５ｘと接続している通報装置１２０を「子ｘ号機」とする。
【０００９】
各通報装置１２０は、スイッチ回路１２１、モデム１２２、装置間伝送回路１２３および制御部１２４を備える。
スイッチ回路１２１は、電話回線１０１への接続と電話回線１０１からの切り離しとを物理的に、または、電気的に切り替える回路である。
装置間伝送回路１２３は、各通報装置１２０との連絡路となる信号線１０３を介して他の通報装置１２０の装置間伝送回路１２３とデータ信号を送受信する回路である。各通報装置１２０の装置間伝送回路１２３は信号線１０３で接続されている。
【００１０】
モデム１２２は、一般的なモデムであり、ＮＣＵ（Ｎｅｔｗｏｒｋ  Ｃｏｎｔｒｏｌ  Ｕｎｉｔ）を内蔵し、ＮＣＵ機能とデータ通信機能とを備える。
データ通信機能とは、デジタル信号をアナログ信号（例えば、音声信号）に変調し、または、アナログ信号をデジタル信号に復調する機能である。
【００１１】
ＮＣＵ機能とは、電話回線網を介して通信相手と電話接続し、通信終了時に、通信相手に繋がっている電話を切断する機能である。
電話接続とは、２つの端末を繋げる通信路を電話回線網に設け、２つの端末間で通話（通信）の可能な状態にすることである。
電話接続時には、一方の端末装置（ＮＣＵ機能）から接続要求が発信され（発呼）、他方の端末装置（ＮＣＵ機能）に接続要求が着信し（着呼）、端末間に呼が確立する。通信相手の電話番号を示すダイヤル信号が接続要求となる。電話の切断時には、端末間で確立された呼が解放される。「発呼」は、受話器を持ち上げ（オフフックともいう）、相手の電話番号をダイヤルして“電話をかける”ことに相当する。また、「着呼」は、受話器を持ち上げて相手からの“電話をとる（電話を受ける）”ことに相当する。また、「呼の解放」は、受話器を下ろして（オンフックともいう）、“電話を切る”ことに相当する。
以下、「発呼」のことを“電話をかける”といい、「着呼」のことを“電話をとる”といい、「呼の解放」を“電話を切る”という。
【００１２】
制御部１２４は、ＣＰＵを用いて、スイッチ回路１２１、モデム１２２および装置間伝送回路１２３を制御する。
例えば、制御部１２４（の回線接続制御部［図示省略］）は、スイッチ回路１２１に電話回線１０１へ接続させ、または、スイッチ回路１２１に電話回線１０１を切り離しさせる。
また例えば、制御部１２４（の回線接続要求部［図示省略］）は、監視センター１１０から送信され、モデム１２２により受信された対象号機ＩＤ１９１（号機を指定する識別情報）を入力し、対象号機ＩＤ１９１で識別される号機の通報装置１２０に対する回線接続要求１９２を装置間伝送回路１２３に出力させる。
また例えば、制御部１２４（の情報送信部［図示省略］）は、監視センター１１０により収集される各種情報（例えば、エレベータの累積運転時間、設定内容、異常ログ等）（以下、収集情報１９３という）をエレベータ装置１０５から取得し、取得した収集情報１９３を記憶機器（例えば、ハードディスク装置、半導体メモリ）（図示省略）に記憶し、記憶した収集情報１９３をモデム１２２を用いて監視センター１１０に送信する。
【００１３】
監視センター１１０には、通信機器１１１と集中監視装置１１２とが設置されている。
監視センター１１０の監視員は、集中監視装置１１２を用いてエレベータシステム１０４からの情報の収集と収集した収集情報１９３の確認とを行い、エレベータシステム１０４の状況を把握する。
【００１４】
集中監視装置１１２は、通信機器１１１を介してエレベータシステム１０４と通信を行う。
例えば、集中監視装置１１２（の対象通知部［図示省略］）は、通信機器１１１を介して、収集情報１９３を送信させる通報装置１２０（対象装置）を識別する号機ＩＤを対象号機ＩＤ１９１としてエレベータシステム１０４に送信する。
また例えば、集中監視装置１１２（の情報受信部［図示省略］）は、通信機器１１１を介して、対象号機ＩＤ１９１で識別される通報装置１２０で収集された収集情報１９３を受信する。そして、集中監視装置１１２は、エレベータシステム１０４から受信した収集情報１９３を記憶機器に記憶し、ディスプレイ装置に表示し、プリンタ装置を用いて印刷する。集中監視装置１１２が備える、または、集中監視装置１１２が外部接続する記憶機器、ディスプレイ装置およびプリンタ装置は図示を省略する。
【００１５】
通信機器１１１は、モデム（図示省略）を備え、エレベータシステム１０４の電話回線１０１に電話接続し、エレベータシステム１０４の各通報装置１２０と電話回線１０１を介して通信する。
例えば、通信機器１１１は、集中監視装置１１２から対象号機ＩＤ１９１が出力されたとき、エレベータシステム１０４に電話をかけ、エレベータシステム１０４の親号機と電話接続し、対象号機ＩＤ１９１を親号機に送信し、親号機との電話を切断する。
また例えば、通信機器１１１は、エレベータシステム１０４に電話をかけ、対象号機ＩＤ１９１で識別される子号機と電話接続し、電話接続した子号機から収集情報１９３を受信し、子号機との電話を切る。通信機器１１１は、受信した収集情報１９３を集中監視装置１１２に出力する。
【００１６】
図２は、実施の形態１における遠隔監視システム１００の遠隔監視方法を示すフローチャートである。
一般的なモデム１２２を使用する実施の形態１における遠隔監視システム１００の遠隔監視方法について、図２に基づいて以下に説明する。
【００１７】
＜Ｓ１１０：親号機接続処理＞
以下に説明するＳ１１１〜Ｓ１１４により、監視センター１１０と親号機が電話接続し、監視センター１１０は親号機に対象号機ＩＤ１９１を通知する。
【００１８】
＜Ｓ１１１＞
まず、監視センター１１０はエレベータシステム１０４の電話回線１０１に電話をかける。
Ｓ１１１の詳細について以下に説明する。
【００１９】
監視者は、キーボードやマウスなどを用いて、特定のエレベータ装置１０５の情報収集を指示する収集命令を集中監視装置１１２に入力する。
収集命令が入力されたとき、集中監視装置１１２は、電話接続命令を通信機器１１１に出力し、通信機器１１１にエレベータシステム１０４の電話回線１０１に電話をかけさせる。
電話接続命令を受けた通信機器１１１は、エレベータシステム１０４の電話番号をダイヤル信号で発信して、エレベータシステム１０４の電話回線１０１に電話をかける（発呼する）。
【００２０】
＜Ｓ１１２＞
次に、親号機（１２０ａ）は監視センター１１０からの電話を取り、データ通信を可能にする。
Ｓ１１２の詳細について以下に説明する。
【００２１】
エレベータシステム１０４では、監視センター１１０によるエレベータ装置１０５の情報収集が始まるまで、親号機（１２０ａ）がスイッチ回路１２１ａにより電話回線１０１に接続し、子号機（１２０ｂ、・・・、１２０ｎ）はスイッチ回路１２１により電話回線１０１を切り離している。
このため、Ｓ１１１において監視センター１１０の通信機器１１１からかけられた電話は親号機のモデム１２２ａに受け取られる（着呼する）。
親号機のモデム１２２ａは、監視センター１１０の通信機器１１１からの電話を取り、通信機器１１１との間で電話接続する（呼を確立する）。電話接続により、親号機のモデム１２２ａと監視センター１１０の通信機器１１１とを繋ぐ通信路が電話回線網に設けられ、親号機と集中監視装置１１２との間でデータ通信が可能な状態となる。
【００２２】
＜Ｓ１１３＞
次に、監視センター１１０は収集対象を示す対象号機ＩＤ１９１を親号機（１２０ａ）に通知する。
Ｓ１１３の詳細について以下に説明する。
【００２３】
Ｓ１１２において親号機と電話接続した集中監視装置１１２は、Ｓ１１１において監視者により入力された収集命令に基づいて、情報を収集する対象のエレベータ装置１０５に接続する通報装置１２０を識別するＩＤを対象号機ＩＤ１９１として通信機器１１１に出力する。各エレベータ装置１０５の号機に接続する通報装置１２０のＩＤは、集中監視装置１１２の記憶装置（図示省略）に予め記憶されているものとする。
通信機器１１１は、集中監視装置１１２から入力された対象号機ＩＤ１９１を電話回線１０１を介して（確立された呼を用いて）、親号機に送信する。
親号機のモデム１２２ａは、通信機器１１１から送信された対象号機ＩＤ１９１を電話回線１０１を介して受信し、受信した対象号機ＩＤ１９１を制御部１２４ａに出力する。
【００２４】
＜Ｓ１１４＞
次に、監視センター１１０はエレベータシステム１０４との電話を切る。
Ｓ１１４の詳細について以下に説明する。
【００２５】
Ｓ１１３において親号機に対象号機ＩＤ１９１を通知した集中監視装置１１２は、電話切断命令を通信機器１１１に出力し、通信機器１１１にエレベータシステム１０４との電話を切らせる。
電話切断命令を受けた通信機器１１１は、エレベータシステム１０４との電話を切る（呼を解放する）。
【００２６】
＜Ｓ１２０：号機切替処理＞
以下に説明するＳ１２１〜Ｓ１２３により、親号機が電話回線１０１を切り離し、対象号機ＩＤ１９１で識別される子号機（以下、収集対象の子号機という）が電話回線１０１に接続する。
【００２７】
＜Ｓ１２１＞
親号機（１２０ａ）は信号線１０３を介して収集対象の通報装置１２０に回線接続要求１９２を出力する。
Ｓ１２１の詳細について以下に説明する。
【００２８】
電話の切断後（Ｓ１１４）、親号機の制御部１２４ａは、Ｓ１１３においてモデム１２２ａから出力された対象号機ＩＤ１９１を参照し、収集対象の子号機に対する回線接続要求１９２を生成する。そして、制御部１２４ａは、生成した回線接続要求１９２を装置間伝送回路１２３ａに出力し、装置間伝送回路１２３ａに収集対象の子号機へ回線接続要求１９２を出力させる。装置間伝送回路１２３ａは、制御部１２４ａから出力された回線接続要求１９２を信号線１０３を介して収集対象の子号機に出力する。
【００２９】
＜Ｓ１２２＞
次に、収集対象の通報装置１２０は電話回線１０１と接続する。
Ｓ１２２の詳細について以下に説明する。
【００３０】
収集対象の子号機では、Ｓ１２１において親号機の装置間伝送回路１２３ａから出力された回線接続要求１９２を装置間伝送回路１２３が信号線１０３を介して入力し、装置間伝送回路１２３が入力した回線接続要求１９２を制御部１２４に出力する。収集対象以外の子号機では、回線接続要求１９２は装置間伝送回路１２３により破棄される。
装置間伝送回路１２３から回線接続要求１９２を入力された制御部１２４は、スイッチ回路１２１を制御して、スイッチ回路１２１に電話回線１０１へ接続させる。制御部１２４から制御を受けたスイッチ回路１２１は、スイッチを切り替えて、電話回線１０１に接続する。
【００３１】
＜Ｓ１２３＞
また、親の通報装置１２０ａは電話回線１０１を切り離す。
Ｓ１２３の詳細について以下に説明する。
【００３２】
回線接続要求１９２の出力後（Ｓ１２１）、親号機（１２０ａ）の制御部１２４ａは、スイッチ回路１２１ａを制御して、スイッチ回路１２１ａに電話回線１０１から切り離しさせる。制御部１２４ａから制御を受けたスイッチ回路１２１ａは、スイッチを切り替えて、電話回線１０１から親号機（１２０ａ）を切り離す。
【００３３】
＜Ｓ１３０：対象号機接続処理＞
以下に説明するＳ１３１〜Ｓ１３４により、監視センター１１０と収集対象の子号機が電話接続し、監視センター１１０は電話接続した子号機から収集情報１９３を取得する。
【００３４】
＜Ｓ１３１＞
電話の切断後（Ｓ１１４）、監視センター１１０は、Ｓ１１１と同様に、電話回線１０１に電話をかける。
【００３５】
＜Ｓ１３２＞
次に、収集対象の子号機は、Ｓ１１２における親号機と同様に、監視センター１１０からの電話を取り、データ通信を可能にする。
【００３６】
＜Ｓ１３３＞
次に、収集対象の子号機は収集情報１９３を送信し、監視センター１１０は収集情報１９３を受信する。
Ｓ１３３の詳細について以下に説明する。
【００３７】
Ｓ１３２において監視センター１１０と電話接続した収集対象の子号機では、制御部１２４が、エレベータ装置１０５から取得した収集情報１９３をモデム１２２に出力する。収集情報１９３は、このタイミングで取得されてもよいし、予め所定のタイミングで取得されていてもよい。収集情報１９３は、通報装置１２０の記憶装置（図示省略）に記憶される。
モデム１２２は、制御部１２４から入力された収集情報１９３を電話回線１０１を介して（Ｓ１３２において確立された呼を用いて）、監視センター１１０に送信する。
監視センター１１０の通信機器１１１は、収集対象の子号機のモデム１２２から送信された収集情報１９３を電話回線１０１を介して受信し、受信した収集情報１９３を集中監視装置１１２に出力する。
集中監視装置１１２は、通信機器１１１から入力された収集情報１９３を記憶装置（図示省略）に記憶し、収集情報１９３を表示装置やプリンタなどの出力装置に出力する。
【００３８】
＜Ｓ１３４＞
そして、監視センター１１０は、Ｓ１１４と同様に、エレベータシステム１０４との電話を切る。
【００３９】
以上のように、実施の形態１における遠隔監視システム１００の遠隔監視方法では、監視センター１１０が収集対象の子号機をエレベータシステム１０４に通知後（Ｓ１１３）、エレベータシステム１０４との電話を切り（Ｓ１１４）、再びエレベータシステム１０４との電話を接続することにより（Ｓ１３２）、電話を接続した装置間（監視センター１１０と収集対象の子号機）でデータ通信を行うことができる。
これにより、複数の通報装置１２０が１本の電話回線１０１を共有する遠隔監視システム１００において、一般的なモデム１２２を通報装置１２０に使用することができる。
【００４０】
図３は、実施の形態１における親号機の処理の流れを示すフローチャートである。
上記の遠隔監視方法（図２）における親号機（親の通報装置１２０ａ）の処理の流れについて、図３に基づいて以下に説明する。
図３では、図２のステップ番号（Ｓｘｘｘ）に“ａ”を付したもの（Ｓｘｘｘａ）をステップ番号として記す。
【００４１】
親号機のモデム１２２ａは、監視センター１１０からの電話の着信を待ち（Ｓ１１１ａ）、着信した電話をとって監視センター１１０とのデータ通信を可能にし（Ｓ１１２ａ）、監視センター１１０から対象号機ＩＤ１９１を受信し（Ｓ１１３ａ）、監視センター１１０との電話を切る（Ｓ１１４ａ）。
【００４２】
次に、装置間伝送回路１２３ａは回線接続要求１９２を信号線１０３に出力し（Ｓ１２１ａ）、スイッチ回路１２１ａは電話回線１０１を切り離す（Ｓ１２３ａ）。
【００４３】
そして、装置間伝送回路１２３ａは監視センター１１０との電話を切った旨の通知が収集対象の子号機から出力されるのを待ち（Ｓ１３４ａ１）、収集対象の子号機が電話を切った後、スイッチ回路１２１ａは再び電話回線１０１に接続する（Ｓ１３４ａ２）。
その後、処理はＳ１１１ａに戻る。
【００４４】
図４は、実施の形態１における子号機の処理の流れを示すフローチャートである。
上記の遠隔監視方法（図２）における子号機（子の通報装置１２０）の処理の流れについて、図４に基づいて以下に説明する。
図４では、図２のステップ番号（Ｓｘｘｘ）に“ｚ”を付したもの（Ｓｘｘｘｚ）をステップ番号として記す。
【００４５】
子号機において、装置間伝送回路１２３は回線接続要求１９２が信号線１０３から入力されるのを待ち（Ｓ１２１ｚ）、回線接続要求１９２の入力後、スイッチ回路１２１は電話回線１０１に接続する（Ｓ１２２ｚ）。
【００４６】
次に、電話回線１０１と接続した子号機（収集対象の子号機）のモデム１２２は、監視センター１１０からの電話の着信を待ち（Ｓ１３１ｚ）、着信した電話をとって監視センター１１０との電話通信を可能にし（Ｓ１３２ｚ）、監視センター１１０とデータ通信（収集情報１９３の送信）を行い（Ｓ１３３ｚ）、データ通信の完了後、監視センター１１０との電話を切る（Ｓ１３４ｚ１）。
【００４７】
そして、スイッチ回路１２１は電話回線１０１を切り離し（Ｓ１３４ｚ２）、装置間伝送回路１２３は監視センター１１０との電話を切った旨の通知を親号機に対して信号線１０３に出力する（Ｓ１３４ｚ３）。
その後、処理は１２１ｚに戻る。
【００４８】
図５は、実施の形態１における監視センター１１０と親号機と収集対象の子号機との通信の流れを示すシーケンス図である。
収集対象の子号機が「３号機」である場合を例に、監視センター１１０と親号機と収集対象の子号機（３号機）との通信の流れについて、図５に基づいて以下に説明する。
図５に示すステップ番号は、図２に示すステップ番号に対応している。
【００４９】
まず、監視センター１１０の通信機器１１１はエレベータシステム１０４の電話回線１０１に電話をかけ（Ｓ１１１）、親号機はモデム１２２ａを使用して監視センター１１０からの電話をとり、監視センター１１０の通信機器１１１と親号機とはデータ通信を可能にする（Ｓ１１２）。
次に、監視センター１１０の通信機器１１１は、対象号機ＩＤ１９１を送信して親号機に３号機（収集対象の子号機の一例）との通信を要求し（Ｓ１１３）、親号機との電話を切る（Ｓ１１４）。
【００５０】
次に、親号機は、装置間伝送回路１２３ａを使用して回線接続要求１９２を出力し、３号機に電話回線１０１に接続するように通知する（Ｓ１２１）。
次に、３号機はスイッチ回路１２１を使用して電話回線１０１と接続し（Ｓ１２２）、親号機はスイッチ回路１２１ａを使用して電話回線１０１を切り離す（Ｓ１２３）。
【００５１】
次に、監視センター１１０の通信機器１１１はエレベータシステム１０４の電話回線１０１に電話をかけ（Ｓ１３１）、３号機はモデム１２２を使用して監視センター１１０からの電話をとり、監視センター１１０の通信機器１１１と３号機とはデータ通信を可能にする（Ｓ１３２）。
そして、監視センター１１０の通信機器１１１と３号機とはデータ通信（例えば、３号機から監視センター１１０への収集情報１９３の送信）を行い（Ｓ１３３）、データ通信完了後、監視センター１１０の通信機器１１１は３号機との電話を切る（Ｓ１３４）。
【００５２】
図６は遠隔監視システム９００の構成図であり、図７は遠隔監視システム９００の遠隔監視方法を示すフローチャートである。
次に、監視センター１１０が、エレベータシステム１０４に対象号機ＩＤ１９１を通知後、電話を切断せずにそのまま続けて、収集対象の子号機から収集情報１９３を取得する遠隔監視システム９００について説明する。
【００５３】
遠隔監視システム９００では、後述するように、監視センター１１０と親号機との電話が接続している状態で収集対象の子号機が電話回線１０１を用いて監視センター１１０に収集情報１９３を送信する。
そこで、各通報装置１２０は、そのような特別な通信を可能にするため、図６に示すように、一般的なモデム１２２とは別にＮＣＵ１２５を備えている。
【００５４】
図７に示すように、遠隔監視システム９００の遠隔監視方法（ＮＣＵ追加時）では、まず、遠隔監視システム１００のＳ１１１〜Ｓ１１３と同様に、監視センター１１０がエレベータシステム１０４の電話回線１０１に電話をかけ（Ｓ９１１）、親号機が電話をとって監視センター１１０とのデータ通信を可能にし（Ｓ９１２）、監視センター１１０が対象号機ＩＤ１９１を親号機に通知する（Ｓ９１３）。
【００５５】
ここで、Ｓ１１４のように監視センター１１０と親号機との電話は切られず、遠隔監視システム１００のＳ１２１〜Ｓ１２３と同様に、Ｓ９２１〜Ｓ９２３が続行される。
親号機は処理対象の通報装置１２０に回線接続要求１９２を出力し（Ｓ９２１）、処理対象の通報装置１２０は電話回線１０１と接続し（Ｓ９２２）、親号機は電話回線１０１を切り離す（Ｓ９２３）。
【００５６】
そして、処理対象の通報装置１２０のモデム１２２はＮＣＵ１２５を介してデータ通信が可能となり（Ｓ９３２）、Ｓ１３３と同様に通報装置１２０は収集情報１９３を監視センター１１０に送信し（Ｓ９３３）、Ｓ１３４と同様に監視センター１１０はエレベータシステム１０４との電話を切る（Ｓ９３４）。
Ｓ９３３において、通報装置１２０から監視センター１１０への収集情報１９３の送信は、モデム１２２およびＮＣＵ１２５により行われる。
【００５７】
通常、モデムは、電話回線に接続するための機能を有するＮＣＵを内蔵しており、ＮＣＵ機能とデータ通信機能（デジタルデータを音声信号に変換して通信する機能）が同期して動作する。例えば、電話がかかってくると、モデムは、ＮＣＵ機能にて電話回線と接続した後にデータ通信を開始する。
しかし、遠隔監視システム９００の遠隔監視方法（ＮＣＵ追加時）では、Ｓ９３３において、収集対象の通報装置１２０のモデム１２２は、既に監視センター１１０と親号機との間で電話回線１０１が接続されている状態でデータ通信のみを開始しなければならない。一般にモデムはこのような動作をしない。
このような特殊な通信が可能な特別なモデムは、製造メーカーが少なく、且つ、高価である。特別なモデムを用いない場合、図６に示すように、一般的なモデム１２２にＮＣＵ１２５を追加して各通報装置１２０を構成し、電話回線の接続制御はモデム１２２の外部機器として接続するＮＣＵ１２５に行わせ、モデム１２２はＮＣＵ１２５を介してデータ通信のみを行う。
【００５８】
実施の形態１では、一つの電話回線１０１に複数の通報装置１２０が接続する構成において、一般的なモデム１２２（安価なモデム）を使用可能にする遠隔監視システム１００について説明した。
【００５９】
図１において、親号機（１２０ａ）にはエレベータ装置１０５が接続されておらず、親号機は収集情報１９３を監視センター１１０に送信していないが、親号機が子号機と同様にエレベータ装置１０５と接続され、親号機がそのエレベータ装置１０５の収集情報１９３を監視センター１１０に送信してもよい。
収集対象の号機が親号機である場合、親号機から監視センター１１０への収集情報１９３の送信は、図２で説明したように電話が一旦切られた後の再接続時に行われてもよいし、図７で説明したように電話が切られずに電話接続が維持された状態で行われてもよい。
さらに、親号機は通報装置１２０ａに固定されなくても構わない。
例えば、収集対象の子号機が、収集情報１９３の送信の後、スイッチ回路１２１の電話回線１０１への接続を維持し、次回の親号機として稼働してもよい。
また、監視センター１１０からエレベータシステム１０４に電話をかけず、エレベータシステム１０４から監視センター１１０に電話をかけても構わないし、監視センター１１０からエレベータシステム１０４との電話を切らず、エレベータシステム１０４から監視センター１１０との電話を切っても構わない。
また、遠隔監視システム１００は情報収集システムの一例であり、収集情報１９３はエレベータ装置１０５の情報に限らない。
【００６０】
実施の形態２．
実施の形態２では、監視センター１１０が、収集対象の子号機から収集情報１９３を取得後、次の収集対象の子号機を通知することにより、複数の収集対象の子号機から収集情報１９３を取得する形態について説明する。
以下、実施の形態１と異なる事項について主に説明し、説明を省略する事項については実施の形態１と同様であるものとする。
【００６１】
図８は、実施の形態２における遠隔監視システム１００の遠隔監視方法を示すフローチャートである。
実施の形態２における遠隔監視システム１００の遠隔監視方法について、図８に基づいて以下に説明する。
【００６２】
＜Ｓ１１０〜Ｓ１２０＞
まず、実施の形態１と同じく、親号機接続処理（Ｓ１１０）と号機切替処理（Ｓ１２０）とが実行され、１台目の処理対象の子号機が電話回線１０１に接続する。
【００６３】
＜Ｓ２３０：対象号機接続処理＞
＜Ｓ２３１〜Ｓ２３３＞
次に、実施の形態１のＳ１３１〜Ｓ１３３と同じく、監視センター１１０がエレベータシステム１０４の電話回線１０１に電話をかけ（Ｓ２３１）、処理対象の通報装置１２０が電話をとって監視センター１１０とのデータ通信を可能にし（Ｓ２３２）、処理対象の通報装置１２０が収集情報１９３を監視センター１１０に送信する（Ｓ２３３）。
【００６４】
＜Ｓ２３４＞
次に、監視センター１１０は、次の収集対象の子号機を示す対象号機ＩＤ１９１または終了通知を現在の収集対象の子号機に通知する。
このとき、集中監視装置１１２には、監視者により次の収集対象の子号機の指定または終了の指定が入力される。但し、集中監視装置１１２には、予め複数の収集対象の子号機の指定が入力されていてもよい。
集中監視装置１１２は、次の収集対象の子号機（未処理の収集対象の子号機）がある場合、通信機器１１１に次の収集対象の子号機を示す対象号機ＩＤ１９１を出力する。
通信機器１１１は、集中監視装置１１２から入力された対象号機ＩＤ１９１を電話回線１０１を介して現在の収集対象の子号機に送信する。
【００６５】
＜Ｓ２３５＞
次に、監視センター１１０は、実施の形態１のＳ１３４と同じく、エレベータシステム１０４との電話を切る。
【００６６】
＜Ｓ２３６＞
そして、現在の収集対象の子号機（１台目）は、Ｓ２３４での監視センター１１０からの通知が対象号機ＩＤ１９１であるか判定する。
通知が終了通知である場合（Ｎｏ）、処理は終了する。
【００６７】
通知が対象号機ＩＤ１９１である場合（Ｙｅｓ）、処理はＳ１２０に戻る。
そして、現在の収集対象の子号機（１台目）は、親号機と同様に、次の収集対象の子号機（２台目）に回線接続要求１９２を出力し（Ｓ１２１）、電話回線１０１を切り離す（Ｓ１２３）。
また、回線接続要求１９２を入力した２台目の収集対象の子号機は電話回線１０１と接続し（Ｓ１２２）、監視センター１１０と２台目の収集対象の子号機との間でＳ２３１〜Ｓ２３６が実行される。
以後、Ｓ２３６において監視センター１１０からの通知が対象号機ＩＤ１９１である場合、３台目以降の収集対象の子号機に対しても同様にＳ１２０〜Ｓ２３６が実行される。
【００６８】
図９は、実施の形態２における子号機の処理の流れを示すフローチャートである。
上記の遠隔監視方法（図８）における子号機（子の通報装置１２０）の処理の流れについて、図９に基づいて以下に説明する。
図９では、図８のステップ番号（Ｓｘｘｘ）に“ｚ”を付したもの（Ｓｘｘｘｚ）をステップ番号として記す。
【００６９】
Ｓ１２１ｚ〜Ｓ２３５ｚ２は、実施の形態１のＳ１２１〜Ｓ１３４ｚ２と同じである。
【００７０】
Ｓ２３５ｚ２の後、収集対象の子号機の制御部１２４は、モデム１２２により新たな対象号機ＩＤ１９１が受信されたか判定し（Ｓ２３６ｚ１）、新たな対象号機ＩＤ１９１が受信された場合、装置間伝送回路１２３は新たな対象号機ＩＤ１９１に対する回線接続要求１９２を信号線１０３に出力する（Ｓ２３６ｚ２）。終了通知が受信された場合、装置間伝送回路１２３は監視センター１１０との電話を切った旨の通知を親号機に対して信号線１０３に出力する（Ｓ２３６ｚ３）。その後、処理はＳ１２１ｚに戻る。
【００７１】
親号機の処理の流れは、実施の形態１（図３）と同じである。
【００７２】
実施の形態２により、監視センター１１０は、複数の子号機から連続して収集情報１９３を取得することができる。
【００７３】
実施の形態３．
実施の形態３では、監視センター１１０が、親号機に収集対象の子号機を複数通知することにより、複数の収集対象の子号機から収集情報１９３を取得する形態について説明する。
以下、実施の形態１と異なる事項について主に説明し、説明を省略する事項については実施の形態１と同様であるものとする。
【００７４】
図１０は、実施の形態３における遠隔監視システム１００の遠隔監視方法を示すフローチャートである。
実施の形態３における遠隔監視システム１００の遠隔監視方法について、図１０に基づいて以下に説明する。
【００７５】
＜Ｓ１１０〜Ｓ１３０＞
まず、実施の形態１と同じく、親号機接続処理（Ｓ１１０）、号機切替処理（Ｓ１２０）および対象号機接続処理（Ｓ１３０）が実行され、監視センター１１０は１台目の収集対象の子号機から収集情報１９３を取得する。
ここで、親号機接続処理（Ｓ１１０）のＳ１１３において、監視センター１１０は１つまたは複数の対象号機ＩＤ１９１を親号機に通知するものとする。
また、号機切替処理（Ｓ１２０）のＳ１２１において、親号機は監視センター１１０から通知されたものから１つの対象号機ＩＤ１９１を選択し、選択した対象号機ＩＤ１９１で示される子号機を収集対象の子号機として回線接続要求１９２を出力する。
【００７６】
＜Ｓ１４１＞
そして、親号機は、Ｓ１１３において監視センター１１０から通知された対象号機ＩＤ１９１のうち、処理していない対象号機ＩＤ１９１が有るか判定する。
処理していない対象号機ＩＤ１９１が無い場合（Ｎｏ）、処理は終了する。
処理していない対象号機ＩＤ１９１が有る場合（Ｙｅｓ）、処理はＳ１２０に戻る。
Ｓ１２１において、親号機は処理していないものから１つの対象号機ＩＤ１９１を選択し、選択した対象号機ＩＤ１９１で示される子号機を収集対象の子号機として回線接続要求１９２を出力する。
【００７７】
図１１は、実施の形態３における親号機の処理の流れを示すフローチャートである。
上記の遠隔監視方法（図１０）における親号機（親の通報装置１２０ａ）の処理の流れについて、図１１に基づいて以下に説明する。
図１１では、図１０のステップ番号（Ｓｘｘｘ）に“ａ”を付したもの（Ｓｘｘｘａ）をステップ番号として記す。
【００７８】
Ｓ１１１ａ〜Ｓ１３４ａ１は、実施の形態１と同様である。
但し、Ｓ１１３ａにおいて、モデム１２２ａは監視センター１１０から複数の対象号機ＩＤ１９１を受信し、Ｓ１２１ａにおいて、制御部１２４ａは複数の対象号機ＩＤ１９１から１つを選択し、装置間伝送回路１２３ａは選択された対象号機ＩＤ１９１で示される子号機に回線接続要求１９２を出力する。
【００７９】
Ｓ１３４ａ１において子号機が監視センター１１０との電話を切った後、親号機の制御部１２４ａはＳ１１３ａでモデム１２２ａにより受信された複数の対象号機ＩＤ１９１のうち、未処理の対象号機ＩＤ１９１が有るか判定する（Ｓ１４１ａ）。
未処理の対象号機ＩＤ１９１が無い場合（Ｎｏ）、Ｓ１３４ａ２において親号機は電話回線１０１に接続し、処理はＳ１１１ａに戻る。
未処理の対象号機ＩＤ１９１が有る場合（Ｙｅｓ）、処理はＳ１２１ａに戻り、Ｓ１２１ａ〜Ｓ１４１ａが繰り返される。
Ｓ１２１ａにおいて、制御部１２４ａは未処理のものから対象号機ＩＤ１９１を１つ選択し、装置間伝送回路１２３ａは選択された対象号機ＩＤ１９１で示される子号機に回線接続要求１９２を出力する。
Ｓ１２３ａにおいて、スイッチ回路１２１ａは電話回線１０１と接続していないため電話回線１０１の切り離しは不要である。
【００８０】
子号機の処理の流れは、実施の形態１（図４）と同じである。
【００８１】
実施の形態３により、監視センター１１０は、複数の子号機から連続して収集情報１９３を取得することができる。
【００８２】
実施の形態４．
実施の形態４では、監視センター１１０が、所定の時間帯に各子号機から収集情報１９３を取得する形態について説明する。
以下、実施の形態１と異なる事項について主に説明し、説明を省略する事項については実施の形態１と同様であるものとする。
【００８３】
図１２は、実施の形態４における遠隔監視システム１００の遠隔監視方法を示すフローチャートである。
実施の形態４における遠隔監視システム１００の遠隔監視方法について、図１２に基づいて以下に説明する。
【００８４】
＜Ｓ１１０＞
まず、実施の形態１と同様に、親号機接続処理（Ｓ１１０）が実行される。
ここで、親号機接続処理（Ｓ１１０）のＳ１１３において、監視センター１１０は何時にどの子号機から収集情報１９３を取得するかを示すスケジュール情報を親号機に通知するものとする。モデム１２２ａは監視センター１１０から受信したスケジュール情報を制御部１２４ａに出力する。
スケジュール情報には、収集対象の各子号機それぞれについて、対象号機ＩＤ１９１と収集時間とが対応付けられて設定されている。
【００８５】
＜Ｓ１４２＞
次に、制御部１２４ａは、監視センター１１０から入力されたスケジュール情報を参照し、スケジュール情報に設定されている収集時間になるのを待つ。
【００８６】
＜Ｓ１２０〜Ｓ１３０＞
次に、実施の形態１と同様に、号機切替処理（Ｓ１２０）および対象号機接続処理（Ｓ１３０）が実行され、監視センター１１０は１台目の収集対象の子号機から収集情報１９３を取得する。
ここで、号機切替処理（Ｓ１２０）のＳ１２１において、親号機の制御部１２４ａは収集時間となった対象号機ＩＤ１９１で示される子号機を収集対象の子号機として回線接続要求１９２を出力する。
また、対象号機接続処理（Ｓ１３０）のＳ１３１において、監視センター１１０は、スケジュール情報に設定されている収集時間に、エレベータシステム１０４の電話回線１０１に電話をかける。
【００８７】
＜Ｓ１４１＞
そして、親号機は、スケジュール情報に設定されている対象号機ＩＤ１９１のうち、処理していない対象号機ＩＤ１９１が有るか判定する。
処理していない対象号機ＩＤ１９１が無い場合（Ｎｏ）、処理は終了する。
処理していない対象号機ＩＤ１９１が有る場合（Ｙｅｓ）、処理はＳ１４２に戻る。
【００８８】
図１３は、実施の形態４における親号機の処理の流れを示すフローチャートである。
上記の遠隔監視方法（図１２）における親号機（親の通報装置１２０）の処理の流れについて、図１３に基づいて以下に説明する。
図１３では、図１２のステップ番号（Ｓｘｘｘ）に“ａ”を付したもの（Ｓｘｘｘａ）をステップ番号として記す。
【００８９】
Ｓ１１１ａ〜Ｓ１１４ａは、実施の形態１と同様である。
但し、Ｓ１１３ａにおいて、親号機のモデム１２２ａは監視センター１１０から上述のスケジュール情報を受信する。
【００９０】
Ｓ１１４ａの後、親号機の制御部１２４ａがスケジュール情報に設定されている収集時間になるのを待ち（Ｓ１４２ａ）、収集時間に、装置間伝送回路１２３ａが回線接続要求１９２を出力し（Ｓ１２１ａ）、スイッチ回路１２１ａが電話回線１０１を切り離す（Ｓ１２３ａ）。
そして、親号機の制御部１２４ａは、子号機が監視センター１１０との電話を切るのを待つ（Ｓ１３４ａ１）。
【００９１】
子号機が監視センター１１０との電話を切った後、親号機の制御部１２４ａは、スケジュール情報に未処理の対象号機ＩＤ１９１（収集時間になっていない対象号機ＩＤ１９１）が有るか判定する（Ｓ１４１ａ）。
未処理の対象号機ＩＤ１９１が無い場合（Ｎｏ）、Ｓ１３４ａ２において親号機は電話回線１０１に接続し、処理はＳ１１１ａに戻る。
未処理の対象号機ＩＤ１９１が有る場合（Ｙｅｓ）、処理はＳ１４２ａに戻り、Ｓ１４２ａ〜Ｓ１４１ａが繰り返される。
Ｓ１２３ａにおいて、スイッチ回路１２１ａは電話回線１０１と接続していないため電話回線１０１の切り離しは不要である。
【００９２】
子号機の処理の流れは、実施の形態１（図４）と同じである。
【００９３】
図１４は、実施の形態４における監視センター１１０と親号機と収集対象の子号機との通信の流れを示すシーケンス図である。
「３号機」の通報装置１２０からの収集情報１９３の収集時間が「３時」であり、「４号機」の通報装置１２０からの収集情報１９３の収集時間が「４時」である場合を例に、監視センター１１０と親号機と子号機（３、４号機）との通信の流れについて、図１４に基づいて以下に説明する。
図１４に示すステップ番号は、図２および図１２に示すステップ番号に対応している。
【００９４】
親号機は、３号機の収集時間である３時に（Ｓ１４２）、装置間伝送回路１２３ａを使用して回線接続要求１９２を出力し、３号機に電話回線１０１に接続するように通知する（Ｓ１２１）。
次に、３号機はスイッチ回路１２１を使用して電話回線１０１と接続し（Ｓ１２２）、親号機はスイッチ回路１２１ａを使用して電話回線１０１を切り離す（Ｓ１２３）。
また、監視センター１１０の通信機器１１１は３時にエレベータシステム１０４の監視センター１１０に電話をかけ（Ｓ１３１）、３号機はモデム１２２ａを使用して監視センター１１０からの電話をとり、監視センター１１０の通信機器１１１と３号機とはデータ通信を可能にする（Ｓ１３２）。
そして、監視センター１１０の通信機器１１１と３号機とはデータ通信を行い（Ｓ１３３）、データ通信完了後、監視センター１１０の通信機器１１１は３号機との電話を切る（Ｓ１３４）。
【００９５】
さらに、親号機は、４号機の収集時間である４時に（Ｓ１４２）、装置間伝送回路１２３ａを使用して回線接続要求１９２を出力し、４号機に電話回線１０１に接続するように通知する（Ｓ１２１）。
４号機はスイッチ回路１２１を使用して電話回線１０１と接続し（Ｓ１２２）、親号機はスイッチ回路１２１ａを使用して電話回線１０１を切り離し（Ｓ１２３）、以後、監視センター１１０の通信機器１１１と４号機との間でデータ通信が行われる（Ｓ１３１〜Ｓ１３４）。
【００９６】
上記では、親号機は回線接続要求１９２を収集時間に出力しているが、収集時間を含んだ回線接続要求１９２を予め収集対象の子号機に出力してもよい。親号機は少なくとも収集時間に電話回線１０１を切り離していればよく、子号機は少なくとも収集時間に電話回線１０１に接続していればよい。
【００９７】
実施の形態４により、監視センター１１０は、複数の子号機それぞれから所定の時間に収集情報１９３を取得することができる。
【図面の簡単な説明】
【００９８】
【図１】実施の形態１における遠隔監視システム１００の構成図。
【図２】実施の形態１における遠隔監視システム１００の遠隔監視方法を示すフローチャート。
【図３】実施の形態１における親号機の処理の流れを示すフローチャート。
【図４】実施の形態１における子号機の処理の流れを示すフローチャート。
【図５】実施の形態１における監視センター１１０と親号機と収集対象の子号機との通信の流れを示すシーケンス図。
【図６】遠隔監視システム９００の構成図。
【図７】遠隔監視システム９００の遠隔監視方法を示すフローチャート。
【図８】実施の形態２における遠隔監視システム１００の遠隔監視方法を示すフローチャート。
【図９】実施の形態２における子号機の処理の流れを示すフローチャート。
【図１０】実施の形態３における遠隔監視システム１００の遠隔監視方法を示すフローチャート。
【図１１】実施の形態３における親号機の処理の流れを示すフローチャート。
【図１２】実施の形態４における遠隔監視システム１００の遠隔監視方法を示すフローチャート。
【図１３】実施の形態４における親号機の処理の流れを示すフローチャート。
【図１４】実施の形態４における監視センター１１０と親号機と収集対象の子号機との通信の流れを示すシーケンス図。
【符号の説明】
【００９９】
１００  遠隔監視システム、１０１  電話回線、１０２  ビル、１０３  信号線、１０４  エレベータシステム、１０５，１０５ｂ，１０５ｎ  エレベータ装置、１１０  監視センター、１１１  通信機器、１１２  集中監視装置、１２０，１２０ａ，１２０ｂ，１２０ｎ，１２０ｘ  通報装置、１２１，１２１ａ，１２１ｂ，１２１ｎ  スイッチ回路、１２２，１２２ａ，１２２ｂ，１２２ｎ  モデム、１２３，１２３ａ，１２３ｂ，１２３ｎ  装置間伝送回路、１２４，１２４ａ，１２４ｂ，１２４ｎ  制御部、１２５，１２５ａ，１２５ｂ，１２５ｎ  ＮＣＵ、１９１  対象号機ＩＤ、１９２  回線接続要求、１９３  収集情報、９００  遠隔監視システム。
【図１】
2010004132.tif 000003
【図２】
2010004132.tif 000004
【図３】
2010004132.tif 000005
【図４】
2010004132.tif 000006
【図５】
2010004132.tif 000007
【図６】
2010004132.tif 000008
【図７】
2010004132.tif 000009
【図８】
2010004132.tif 000010
【図９】
2010004132.tif 000011
【図１０】
2010004132.tif 000012
【図１１】
2010004132.tif 000013
【図１２】
2010004132.tif 000014
【図１３】
2010004132.tif 000015
【図１４】
2010004132.tif 000016